(57)【要約】【課題】人体の経穴陰陽膚面に軽く当ててなでるようにマッサージするのに適し、大きなマッサージ効果と装飾性の得られる健康マッサージ具を提供する。【解決手段】健康マッサージ具本体１の外形の輪郭１ａ，１ｂ，１ｃ，１ｄ，１ｅが長短の凸曲辺と凹曲辺および略直線辺で形成されたヘラ状の形状を呈し、その実施形態は一長辺の輪郭１ａが略直線辺若しくは僅かに円弧状を呈する凸曲辺で形成され、別側長辺の輪郭１ｂが櫛状に形成されたり、或いは一長辺の輪郭１ａが緩慢な円弧状の凸曲辺で形成され、別側長辺の輪郭１ｂが緩慢な円弧状の凹曲辺で形成されていることを特徴とする健康マッサージ具である。短辺の輪郭１ｄ側の一端には孔２が穿設されて手通し紐３が挿通され、結び部３ａで結んで付設してあり、輪郭１ｂが櫛状に形成された健康マッサージ具１の表面と裏面には指先当て凹部４，４を設ける。【選択図】図１
0003129905.tif 000002
【実用新案登録請求の範囲】
【請求項１】
外形の輪郭が、長短の凸曲辺と凹曲辺及び略直線辺で形成されたヘラ状の健康マッサージ具本体であって、一長辺の輪郭が緩慢な円弧状の凸曲辺若しくは略直線辺で形成され、別側長辺の輪郭が緩慢な円弧状の凹曲辺で形成されてなることを特徴とする健康マッサージ具。
【請求項２】
健康マッサージ具本体の一端に孔を穿設し、該孔に手通し紐が挿通されて付設されてなることを特徴とする請求項１記載の健康マッサージ具。
【請求項３】
健康マッサージ具本体の別側長辺の輪郭が櫛状に形成されてなることを特徴とする請求項１又は請求項２記載の健康マッサージ具。
【請求項４】
健康マッサージ具本体の表面と裏面に指先当て凹部が形成されてなることを特徴とする請求項１〜請求項３のいずれか１項記載の健康マッサージ具。
【請求項５】
健康マッサージ具本体が、瑪瑙材により形成されてなることを特徴とする請求項１〜請求項４のいずれか１項記載の健康マッサージ具。
【考案の詳細な説明】
【技術分野】
【０００１】
本考案は、人体の経穴陰陽膚面をなでるようにマッサージするのに適し、且つ、瑪瑙材のもつエネルギーレベルの高い波動、及びその装飾性を生かすべく形成された健康マッサージ具に関するものである。
【背景技術】
【０００２】
東洋医学的思想によれば、人体には経絡（生命エネルギーの通り道）があり、経絡の要所に経穴（ツボ）があって、経穴をマッサージすることにより血流が促進され、生命エネルギーが高められると言われている。その経穴は人体の陰陽部位（例えば、陰は腹や手足裏等の人体の陰となる部位、陽は背や手足甲等の人体の陽となる部位）の定められた要所に多数点在し、病気診断や治療の対象点にもされている。
従来、健康マッサージ具や美容マッサージ具は、ローラーや突起状のものにより前記経穴をマッサージするのが一般的に知られている。例えば円筒状の軸方向に多数のゲルマニウム突起を埋め込み、ローリングすることでゲルマニウム突起がランダムに皮膚に接触するようにしたマッサージローラー（特許文献１参照）や、火成岩と抗菌性セラミックスと植物化石との微粉末が混合された美容ローラー（特許文献２参照）が開示され、知られている。
【０００３】
又、扁平板状の頭部に、頭部より幅狭の握柄部を連設したマッサージ具主体の頭部端縁を弧状当て面に形成してあるマッサージ具（特許文献３参照）や、先端部分が異なった形状の複数本（四本）の棒部材を有し、各棒部材が連結部によって連結固定された指圧器具（特許文献４参照）が開示され、知られている。
【０００４】
【特許文献１】特開２００５−１４４０９１号公報
【特許文献２】登録実用新案第３０５８３９４号公報
【特許文献３】登録実用新案第３０１４１２２号公報
【特許文献４】特開平９−２３８９９６号公報
【考案の開示】
【考案が解決しようとする課題】
【０００５】
しかしながら、ローラーによるマッサージ具は、ローラーを回転自在に支持するための軸部や柄部を必要とするなど、単一にはできなく、複雑な構成になるのが一般的で、人体の各種陰陽膚面に適切に対応できないおそれがあり、突起状のものでのマッサージは押圧が突起部に集中しやすく人体に与える押圧刺激が強い。
又、上記特許文献３に記載されるマッサージ具や、特許文献４に記載される指圧器具は、身体の所要部分を扁平板状の頭部や先端部が丸曲面の棒部材で押圧したり、擦ったり、叩いたりするのに供されており、人体に与える刺激が強く、且つ装飾性に乏しい。
【０００６】
本考案は、人体の経絡上の各種経穴陰陽膚面に適合し、軽く当ててなでるようにマッサージできるようにし、軽く当ててなでるようにマッサージするだけで大きなマッサージ効果と、心地良い感触、及びシンプルで装飾性に富んだ健康マッサージ具を提供することを目的とし、該目的を達成することを課題とするものである。
【課題を解決するための手段】
【０００７】
上記目的を達成するために、本考案は以下に記載するような手段を講じてなる健康マッサージ具とするものである。すなわち、
（１）外形の輪郭が、長短の凸曲辺と凹曲辺及び略直線辺で形成されたヘラ状の健康マッサージ具本体であって、一長辺の輪郭が緩慢な円弧状の凸曲辺若しくは略直線辺で形成され、別側長辺の輪郭が緩慢な円弧状の凹曲辺で形成されてなることを特徴とする健康マッサージ具。
（２）健康マッサージ具本体の一端に孔を穿設し、該孔に手通し紐が挿通されて付設されてなることを特徴とする前項（１）記載の健康マッサージ具。
（３）健康マッサージ具本体の別側長辺の輪郭が櫛状に形成されてなることを特徴とする前項（１）又は（２）記載の健康マッサージ具。
（４）健康マッサージ具本体の表面と裏面に指先当て凹部が形成されてなることを特徴とする前項（１）〜（３）のいずれか１項記載の健康マッサージ具。
（５）健康マッサージ具本体が、瑪瑙材により形成されてなることを特徴とする前項（１）〜（４）のいずれか１項記載の健康マッサージ具。
【考案の効果】
【０００８】
上記手段にて記載するように、本考案は、外形の輪郭が長短の凸曲辺と凹曲辺及び略直線辺で形成されたヘラ状の健康マッサージ具であって、一つの長辺の輪郭が緩慢な円弧状の凸曲辺若しくは略直線辺で形成され、別側長辺の輪郭が緩慢な円弧状の凹曲辺で形成されることにより、人体の経穴陰陽膚面の全ての凹凸面に軽く当ててなでるようにマッサージするのに好適となり、頭皮のマッサージは、マッサージ具本体の一長辺の輪郭が櫛状に形成されることにより好適となる。
【０００９】
又、マッサージ具本体を瑪瑙材により形成して人体の経穴をマッサージすることにより瑪瑙材のもつエネルギーレベルの高い波動が経絡に伝わるから、軽く当ててなでるようにマッサージするだけで大きなマッサージ効果が得られると共に、人体に与える刺激が弱く心地良い感触が得られる。
【００１０】
更に、マッサージ具本体の輪郭は、流線形状の凸曲辺，凹曲辺及び略直線辺で形成されるから装飾性があり、瑪瑙材を使用することによりその特有の縞模様で装飾美が醸し出される。
【考案を実施するための最良の形態】
【００１１】
本考案を実施するための最良の形態について、以下に記載する実施例にて図面を参照して詳細に説明する。
【実施例１】
【００１２】
図１は、本考案に係る健康マッサージ具の一実施形態を示す図面であり、（ａ）は斜視図、（ｂ）はそのＡ−Ａ断面図である。図示するように健康マッサージ具本体１の外形の輪郭１ａ，１ｂ，１ｃ，１ｄ，１ｅが長短の凸曲辺と凹曲辺及び略直線辺で形成されたヘラ状の形状を呈し、一長辺の輪郭１ａが略直線辺若しくは僅かに円弧状を呈する凸曲辺で形成され、別側長辺の輪郭１ｂが櫛状に形成された形態である。該形態は如意ぐしと称し、主として人体頭部の頭皮マッサージ用に適す。短辺の輪郭１ｄ側の一端には孔２が穿設されていて、手通し紐３が挿通され、結び部３ａで結ばれて付設されている。又、健康マッサージ具本体１は、中膨らみにして表面と裏面に指先当て凹部４，４が設けてある。
【００１３】
図２は、健康マッサージ具本体１の外形の輪郭１ａ，１ｂ，１ｃ，１ｄが長短の凸曲辺と凹曲辺でヘラ状に形成され、一長辺の輪郭１ａが緩慢な円弧状の凸曲辺で形成され、別側長辺の輪郭１ｂが緩慢な円弧状の凹曲辺で形成された形態である。該形態は、陰陽と称し、頸部と背中、全身マッサージ用として適す。短辺の輪郭１ｄ側の一端には孔２が穿設されていて、手通し紐３が挿通され、結び部３ａで結ばれて付設されている。前記指先当て凹部は設けなくても良い。
【００１４】
図３は、健康マッサージ具本体１の外形の輪郭１ａ，１ｂ，１ｃ，１ｄが長短の凸曲辺と凹曲辺でヘラ状に形成され、一長辺の輪郭１ａが略直線辺で形成され、別側長辺の輪郭１ｂが緩慢な円弧状の凹曲辺で形成された形態である。該形態は、吉祥と称し、顔のマッサージ、手のマッサージ用として適す。短辺の輪郭１ｄ側の一端には孔２が穿設されていて、手通し紐３が挿通され、結び部３ａで結ばれて付設されている。前記指先当て凹部は設けなくても良い
【００１５】
図４は、健康マッサージ具本体１の外形の輪郭１ａ，１ｂ，１ｃ，１ｄが長短の凸曲辺と凹曲辺でヘラ状に形成され、一長辺の輪郭１ａが緩慢な円弧状の凸曲辺で形成され、別の長辺の輪郭１ｂが緩慢な円弧状の凹曲辺で形成された形態である。該形態は、月眉と称し、顔のマッサージ用として適す。短辺の輪郭１ｄ側の一端には孔２が穿設されていて、手通し紐３が挿通され、結び部３ａで結ばれて付設されている。前記指先当て凹部は設けなくても良い。
【００１６】
図５は、健康マッサージ具本体１の外形の輪郭１ａ，１ｂ，１ｃ，１ｄが長短の凸曲辺と凹曲辺でヘラ状に形成され、一長辺の輪郭１ａが緩慢な円弧状の凸曲辺で形成され、別側長辺の輪郭１ｂが緩慢な円弧状の凹曲辺で形成された形態である。該形態は、腰果と称し、小形で携帯に便利であり、顔のマッサージ用に適す。短辺の輪郭１ｄ側の一端には孔２が穿設されていて、手通し紐３が挿通され、結び部３ａで結ばれている。前記指先当て凹部は設けなくても良い。
【００１７】
図６は、健康マッサージ具本体１の外形の輪郭１ａ，１ｂ，１ｃ，１ｄ，１ｅが長短の凸曲辺と凹曲辺でヘラ状に形成され、一長辺の輪郭１ａが略直線辺で形成され、別側長辺の輪郭１ｂが緩慢な円弧状の凹曲辺で形成された形態である。該形態は、ヘラ状に形成されているが、スティック状でもあり、ヘラスティックと称し、顔のマッサージ用に適す。短辺の輪郭１ｄ側の一端に孔２が穿設されていて、手通し紐３が挿通され、結び部３ａで結ばれているが、幅狭いスティック状に形成されているため、孔２を穿設せず、手通し紐３を付設しなくても良く、前記指先当て凹部も設けなくて良い。
【００１８】
図７は、健康マッサージ具本体１の輪郭１ａ，１ｂ，１ｆ，１ｇが略直線辺と大小二つの球辺で棒状に形成された形態で、ボールスティックと称し、ヘラ状に形成された形態ではないが、経絡上の経穴（ツボ）押し用として使用するには好適である。又、球辺の輪郭１ｇ側に孔２が穿設され、手通し紐３が挿通されて付設されているが、棒状であるため、孔２を穿設せず、手通し紐３は付設しなくても良く、前記指先当て凹部も設けなくて良い。
【００１９】
以上説明した健康マッサージ具本体１は、瑪瑙材を使用して形成される。瑪瑙材は、エネルギーレベルの高い波動を有すると言われており、これが人体の経穴（ツボ）をマッサージすることにより経絡に伝わるから軽くなでるようにマッサージするだけで大きなマッサージ効果が得られると共に、紅、緑、白などの美しい縞模様と流線形状の凸曲辺、凹曲辺及び略直線辺でその装飾美がアピールできるからである。
なお、本考案は、健康マッサージ具本体を瑪瑙材に限定するものではなく、実施形態も以上記したものに限定するものではない。
【００２０】
図８は、本考案による使用例を示す図面である。人体の頭皮のマッサージは、（Ａ）に示すように、一長辺の輪郭１ａが略直線辺若しくは僅かに円弧状を呈する凸曲辺で形成され、別側長辺の輪郭１ｂが櫛状に形成された健康マッサージ具本体１を、指先当て凹部４に手５の指先を当てて摘んだ状態で行う。手通し紐３は手５を挿通させた状態で手首付近に掛けてある。この状態で櫛状の先端部を頭皮に軽く当ててなでるようにマッサージする。
【００２１】
又、手の平のマッサージは、（Ｂ）に示すように、一長辺の輪郭１ａが略直線辺で形成され、別側長辺の輪郭１ｂが緩慢な円弧状の凹曲辺で形成されて健康マッサージ具本体１を一方の手５で摘み、他方の手５の手の平に、健康マッサージ具本体１の円弧状の凸曲辺を当てて行う。手通し紐３は、摘んだ方の手を挿通させた状態で手首付近に掛けてある。この状態で円弧状に形成された凸曲辺部を他方の手５の手の平部に当ててなでるようにマッサージする。
以上のようにして、人体の各経穴陰陽膚面に当ててなでるようにマッサージする。
【図面の簡単な説明】
【００２２】
【図１】本考案の一実施形態を示す図面で（ａ）は全体斜視図、（ｂ）は（ａ）のＡ−Ａ断面図である。
【図２】本考案の一実施形態を示す斜視図である。
【図３】本考案の一実施形態を示す斜視図である。
【図４】本考案の一実施形態を示す斜視図である。
【図５】本考案の一実施形態を示す斜視図である。
【図６】本考案の一実施形態を示す斜視図である。
【図７】異なる実施形態を示す斜視図である。
【図８】本考案による使用例を示す斜視図である。
【符号の説明】
【００２３】
１  健康マッサージ具本体
１ａ，１ｂ，１ｃ，１ｄ，１ｅ，１ｆ，１ｇ  輪郭
２  孔
３  手通し紐
３ａ  結び部
４  指先当て凹部
５  手
【図１】
0003129905.tif 000003
【図２】
0003129905.tif 000004
【図３】
0003129905.tif 000005
【図４】
0003129905.tif 000006
【図５】
0003129905.tif 000007
【図６】
0003129905.tif 000008
【図７】
0003129905.tif 000009
【図８】
0003129905.tif 000010